(57)【要約】【課題】ドレンホースを確実に固定し、かつ、ドレンホースに力が加えられても水受け皿の破損を防止する空気調和機の室内ユニットを提供すること。【解決手段】本発明の空気調和機の室内ユニット７は、熱交換器２で発生する水分を受けて外部に排出するための排水口３ｂを有する水受け皿３ａと、水受け皿を固定する台枠１と、水受け皿３ａの排水口３ｂに取り付けられるドレンホース４とを備え、ドレンホースの端部に２つの突起４ａ、４ｂを設けるとともに、ドレンホースを排水口へ取り付けた後、回転することによって、２つの突起の間に嵌合される凸形状を備える。【選択図】図１
2012002435.tif 000002
【特許請求の範囲】
【請求項１】
熱交換器で発生する水分を受けて外部に排出するための排水口を有する水受け皿と、前記水受け皿を固定する台枠と、前記水受け皿の排水口に取り付けられるドレンホースとを備え、前記ドレンホースの端部に２つの突起を設けるとともに、前記ドレンホースを前記排水口へ取り付けた後、回転することによって、前記２つの突起の間に嵌合される凸形状を備えたことを特徴とする空気調和機の室内ユニット。
【請求項２】
前記２つの突起は、前記ドレンホースとは別部材で構成したことを特徴とする請求項１に記載の空気調和機の室内ユニット。
【発明の詳細な説明】
【技術分野】
【０００１】
本発明は、空気調和機に関し、さらに詳しくは空気調和機の室内ユニットのドレンホース取付け構造に関するものである。
【背景技術】
【０００２】
従来の室内ユニットは、図４に示すように、水受け皿７ａの排水口７ｂの外周の一部に突起７ｃを設け、排水口に接続するドレンホース８にはＬ状の溝８ａを設け、突起７ｃを、入り口部で誘い、その後回転して固定するようになっていた（例えば、特許文献１参照）。
【先行技術文献】
【特許文献】
【０００３】
【特許文献１】特開平５−１８５５４号公報
【発明の概要】
【発明が解決しようとする課題】
【０００４】
しかしながら、上記従来の構成では、空気調和機の室内ユニットの据付工事の際、配管と共にドレンホース８を室外側に引っ張られた場合は、ドレンホース８は抜けにくくなるが、空気調和機を使用後、水受け皿７ａのドレン処理に支障が生じた際の点検・サービス時には、水受け皿７ａとドレンホースは確実に固定されており、しかもドレンホースは化粧テープ等で室外からの配管とともに巻かれているため、水受け皿７ａだけを室内ユニットから取り外すことは困難であり、場合によっては配管とともに巻いたその化粧テープを解きドレンホースと配管を分離した後、水受け皿を取り外す必要があった。また、据付工事の際、室外側から室内側に力が加えられた際には、水受け皿７ａに加えられた力がそのまま加わり、水受け皿７ａの破損につながることがある。
【０００５】
本発明は、前記従来の課題を解決するもので、ドレンホースを確実に固定し、かつ、ドレンホースに力が加えられても水受け皿の破損を防止する空気調和機の室内ユニットを提供することを目的とする。
【課題を解決するための手段】
【０００６】
前記従来の課題を解決するために、本発明の空気調和機の室内ユニットは、熱交換器で発生する水分を受けて外部に排出するための排水口を有する水受け皿と、水受け皿を固定する台枠と、水受け皿の排水口に取り付けられるドレンホースとを備え、ドレンホースの端部に２つの突起を設けるとともに、ドレンホースを排水口へ取り付けた後、回転することによって、２つの突起の間に嵌合される凸形状を備えたことにより、空気調和機の据付工事時にドレンホースを本外外部へ引っ張られた際には、ドレンホースの突起が、台枠に設けられた凸形状に当たり、それ以上後ろに移動できなくなり、ドレンホースの抜けを防止できる。
【０００７】
また、据付工事の際に、室外側からドレンホースを抑え込む力を加えても、ドレンホースの突起が、台枠に設けられた凸形状に当たり、直接水受け皿に加えられる力を軽減することができ、水受け皿の破損を防ぐことができる。
【０００８】
また、水受け皿を取り外す際には、水受け皿の排水口とドレンホースは、摩擦で保持されているため、多少強く水受け皿を手前に引くとドレンホースは排水口から抜け、水受け皿を容易に取り外すことができる。
【発明の効果】
【０００９】
本発明は、ドレンホースを確実に固定し、かつ、ドレンホースに力が加えられても水受け皿の破損を防止する空気調和機の室内ユニットを提供することができる。
【図面の簡単な説明】
【００１０】
【図１】本発明の実施の形態１における空気調和機の室内ユニットの断面図
【図２】同実施の形態１における水受け皿部の詳細図
【図３】本発明の実施の形態２における水受け皿部の詳細図
【図４】従来の室内ユニットの水受け皿とドレンホースの取り付け構造図
【発明を実施するための形態】
【００１１】
第１の発明の空気調和機の室内ユニットは、熱交換器で発生する水分を受けて外部に排出するための排水口を有する水受け皿と、水受け皿を固定する台枠と、水受け皿の排水口に取り付けられるドレンホースとを備え、ドレンホースの端部に２つの突起を設けるとともに、ドレンホースを排水口へ取り付けた後、回転することによって、２つの突起の間に嵌合される凸形状を備えたことにより、空気調和機の据付工事時にドレンホースを本外外部へ引っ張られた際には、ドレンホースの突起が、台枠に設けられた凸形状に当たり、それ以上後ろに移動できなくなり、ドレンホースの抜けを防止できる。
【００１２】
第２の発明の空気調和機の室内ユニットは、特に第１の発明において、２つの突起は、ドレンホースとは別部材で構成したことにより、作業性が向上する。
【００１３】
以下、本発明の実施の形態について、図面を参照しながら説明する。なお、この実施の形態によって本発明が限定されるものではない。
【００１４】
（実施の形態１）
図１、図２は、本発明にかかる空気調和機の室内ユニットを示しており、空気調和機の室内ユニット７の内部には、風回路の一部を構成し外郭の一部を構成する台枠１を備えている。そして、台枠１に熱交換器２が取り付けられ、熱交換器２の下部には、熱交換器から発生する水分を受ける水受け皿３ａとドレン水を排出する排水口３ｂを具備している。
【００１５】
また、風回路の一部を構成する吹き出しグリル３が、台枠１に固定される。また、排水口３ｂに接続されるドレンホース４を備えている。また、外郭の一部を構成し、空気を吸い込む吸入グリル６を備えている。
【００１６】
また、ドレンホース４の排水口３ｂに接続される取り付け部には、ドレンホース４の端部にある外周の一部に２つの突起４ａ、４ｂが設けられている。
【００１７】
一方、台枠１からは、ドレンホース４の端部を排水口３ｂに接続した後、回転させた位置でドレンホース４の端部に設けられている２つの突起４ａ、４ｂを受け抱える凸形状１ａが設けられている。
【００１８】
このような構成によって、ドレンホース４が室内ユニット本体外に引っ張られた場合には、突起４ａが台枠の凸形状１ａに当りそれ以上後ろに移動できず、ドレンホースの抜けが防止できる。
【００１９】
また、室外側から力が加えられた際には、突起４ｂが台枠の凸形状１ａに当りそれ以上前に行かず加えられた力を吸収し水受け皿３ａの破損を防止できる。
【００２０】
（実施の形態２）
図３は、実施の形態２における水受け皿部の詳細図である。図３に示すように、ドレンホース４の端部に設けた嵌め合わせ部４ｃに、突起５ｂを設けた別部材５を取り付ける構成にしてもよい。
【００２１】
その場合、別部材５の裏面に嵌め合わせ部４ｃに嵌合される嵌合部５ｃを設けておき、それぞれを嵌合させることによって、ドレンホース４に別部材５を取り付けることができる。このようにすることで、組み立て性が向上するだけではなく、ドレンホース４を汎用化することができ、製造コストを抑えることも可能である。
【産業上の利用可能性】
【００２２】
以上のように、本発明にかかる空気調和機の室内ユニットは、シングルタイプの空気調和機だけではなく、マルチタイプの空気調和機であっても適用することができる。
【符号の説明】
【００２３】
１  台枠
１ａ  凸形状
２  熱交換器
３  吹き出しグリル
３ａ  水受け皿
３ｂ  排水口
４  ドレンホース
４ａ  突起
４ｂ  突起
４ｃ  嵌め合わせ部
５  別部材
５ｂ  突起
５ｃ  嵌合部
７  室内ユニット
【図１】
2012002435.tif 000003
【図２】
2012002435.tif 000004
【図３】
2012002435.tif 000005
【図４】
2012002435.tif 000006